(57)【特許請求の範囲】
【請求項１】
型くずれ防止用の第１のプラスチックフィルムとこの第１のプラスチックフィルムよりも軟質で顔の形状に沿って変形する第２のプラスチックフィルムとの間に、マスクとしての効果成分を含んだジェル状のマスク本体を挟み込んだ構造のフェイスマスクを使用し、前記第１のプラスチックフィルムを剥がし、
マスク本体を顔に貼り付ける第１段階と、前記第２のプラスチックフィルムを剥がし、貼り付けたマスク本体の上から、顔に走っている筋肉の基端部分を一方の手で押さえるとともに当該筋肉の走行方向に沿って他方の手で空気を絞り出すようになぞることにより、前記マスク本体及び肌を筋肉走行方向に引き伸ばして密着させる第２段階とにより、マスク本体を肌に密着させてマスク本体に配合された有効成分の肌への浸透を促進させるようにしたことを特徴とする美容方法。
【請求項２】
口周辺部と目周辺部とで上下に分離した２つの部分からなるフェイスマスクを使用することを特徴とする請求項１記載の美容方法。
【発明の詳細な説明】
【０００１】
【発明の属する技術分野】
本発明は、フェイスマスクを使用した美容方法に関する。
【０００２】
【従来の技術】
昔から、パックやマスクによる美肌効果をうたった美容方法がよく知られている。中でもフェイスマスクを使用した美容法は、手軽で効果が高いことから、美容専門店のみならず各家庭にも広く普及している。
【０００３】
フェイスマスクによる美容方法は、顔の形状にあわせたフェイスマスクを顔面に貼り付け、そのフェイスマスクに含ませてある美容成分を肌にしみ込ませるというものである。したがって、できるだけ肌に密着していたほうが成分を有効にしみ込ませることができる。
【０００４】
【発明が解決しようとする課題】
しかし、現状のフェイスマスクによる美容方法では、単にフェイスマスクを顔の上に載せるだけであり、細かなしわの間まで十分に効果を染み渡らせることができていない。そこで本発明は、有効成分をしわの奥までより素早く浸透させられるようなオクルーシブ（密閉）効果の高いフェイスマスクを使用した美容方法を提供するものである。
【０００５】
【課題を解決するための手段】
本発明のフェイスマスクを使用した美容方法は、型くずれ防止用の第１のプラスチックフィルムとこの第１のプラスチックフィルムよりも軟質で顔の形状に沿って変形する第２のプラスチックフィルムとの間に、マスクとしての効果成分を含んだジェル状のマスク本体を挟み込んだ構造のフェイスマスクを使用し、前記第１のプラスチックフィルムを剥がし、マスク本体を顔に貼り付ける第１段階と、前記第２のプラスチックフィルムを剥がし、貼り付けたマスク本体の上から、顔に走っている筋肉の基端部分を一方の手で押さえるとともに当該筋肉の走行方向に沿って他方の手で空気を絞り出すようになぞることにより、前記マスク本体及び肌を筋肉走行方向に引き伸ばして密着させる第２段階とにより、マスク本体を肌に密着させてマスク本体に配合された有効成分の肌への浸透を促進させるようにしたことを特徴とする。
【０００６】
このような美容方法のためのフェイスマスクは、型くずれ防止用の第１のプラスチックフィルムとこの第１のプラスチックフィルムよりも軟質で顔の形状に沿って変形する第２のプラスチックフィルムとの間に、マスクとしての効果成分を含んだジェル状のマスク本体を挟み込んだ３層構造とし、第１段階の貼り付け作業前に第１のプラスチックフィルムを剥がし、第２段階の引き伸ばし作業前に第２のプラスチックフィルムを剥がすものとする。
【０００７】
そしてさらに、筋肉走行方向が口のまわりや目のまわりで異なることから、口周辺部と目周辺部とでセパレートにしたツーピース型のフェイスマスクが適している。
【０００８】
この３層構造のフェイスマスクによると、第１段階の貼り付け作業のときには、硬質の第１のプラスチックフィルムを剥がすだけで軟質の第２のプラスチックフィルムはつけたまま顔への貼り付け作業を行え、施術者は第２のプラスチックフィルム上からマスク本体に触れることなく作業できるので、べたつかず作業性がよい。また、この段階でマスク本体のみになってしまうと、マスク本体はジェル状で非常に柔らかくてふにゃふにゃしており扱いにくいため、貼り付けが難しくなる。したがって、第２のプラスチックフィルムが残っていることで、第１段階の貼り付け作業が大変容易となる。
【０００９】
【発明の実施の形態】
図１に、本発明に係るフェイスマスクの一例を図示してある。この例のフェイスマスク(１)は、口周辺部用ピース(２)と目周辺部用ピース(３)とのツーピース製である。口周辺部用ピース(２)は、中央部分に口を露出させるための開口(21)を開けてあり、下縁部分には、顎の形に沿って曲がりやすくするための切り込み(22)が４つ入れられている。そして、顔に貼り付けたときにこめかみ部分に相当する部分がリフトバンド(23)としてあり、貼り付け時につまみやすい形状をしている。一方の目周辺部用ピース(３)は、目を露出させるための開口(31)が２つ開けてあり、その下の鼻に相当する部分が鼻の形に沿って曲がりやすいように、鼻の両脇にあたる箇所に切り込み(32)が入れられている。また、上縁部分には、髪の生え際に従って曲がりやすいように切り込み(33)が２つ入れられている。
【００１０】
このようなフェイスマスク(１)は、Ａ−Ａ線断面図２に示すように、マスク本体(11)を第１のプラスチックフィルム(12)と第２のプラスチックフィルム(13)とで挟み込んだ３層構造となっている。マスク本体(11)は、薬剤、保湿剤、美容成分などのマスクとしての有効成分に、精製水、防腐剤、エタノール等と共に高分子をマスクの構成成分として配合しジェル状にかためたもので、実際に肌と密着させたとき有効成分が肌に浸透し、美肌効果を発揮する。これらの成分は、例えば１．０〜３０％の保湿剤、０．０５〜１％の薬剤、０．１〜１０％の高分子、０．０５〜０．５％の防腐剤、適量の精製水及びエタノールの割合で配合される。マスクとしての有効成分は、以上のものに限られず、化粧料に配合することが可能な肌への効果を期待できる全ての成分を使用することが出来る。
【００１１】
高分子としてはポリアクリル酸塩、ＣＭＣ、デンプン・アクリル酸共重合体、カルボキシビニルポリマー、ゼラチン等を、保湿剤としてはグリセリン、プロピレングリコール、ソルビトール、１，３−ブチレングリコール、ポリエチレングリコール等を、薬剤としてはＬ−セリン、グリシン、イザヨイバラ果実エキス、オウゴンエキス、パントテニールエチルエーテル、ヒアルロン酸、テンチャエキス、シリバチカエキス、阿仙薬エキス、メリロートエキス、アルブチン、グリチルリチン酸塩、アロエ等を、防腐剤としてはパラベンをそれぞれ挙げることが出来る。
【００１２】
マスクとしての効果成分の具体的な処方の一例としては、精製水、濃グリセリン、ＣＭＣ−Ｎａ、コハク酸、メタケイ酸アルミン酸Ｍｇ、メチルパラベン、エデト酸２Ｎａからなるものである。尚、マスク素材を前記ジェルに代って伸縮性を有する素材としても良い。この様な素材としては、例えばゴム、弾力的な伸縮性を有したプラスチック、不織布等が考えられる。そして、この様な伸縮性を有する素材の場合、化粧水、乳液、クリーム等の化粧料を含浸、或は混合して使用することが出来る。
【００１３】
以上の他に、酸化剤として、セージエキス、ビタミンＥ及びその誘導体などを、消炎剤として、オウバク抽出物、オウレン抽出物、シコン抽出物、シャクヤク抽出物、センブリ抽出物、バーチ抽出物、ビワ抽出物、カミツレ抽出物、グリチルリチン酸誘導体、グリチルレチン酸誘導体、サリチル酸誘導体、ヒノキチオール、酸化亜鉛、アラントインなどを、美白剤として、胎盤抽出物、グルタチオン、ユキノシタ抽出物、アスコルビン酸誘導体などを、賦活剤として、ニンジン抽出物、アロエ抽出物、ゼニアオイ抽出物、アイリス抽出物、ブドウ抽出物、ヨクイニン抽出物、ヘチマ抽出物、ユリ抽出物、ローヤルゼリー、感光素、コレステロール誘導体、各種アミノ酸などを、血行促進剤として、サフラン抽出物、センキュウ抽出物、ショウキョウ抽出物、オトギリソウ抽出物、オノニス抽出物、ローズマリー抽出物、ニンニク抽出物、γ−オリザノール、デキストラン硫酸ナトリウムなどを、抗脂漏剤として、硫黄、チアントールなどを、増粘剤として、香料、水、アルコール、カルボキシビニルポリマーなどを、色剤として、チタンイエロー、カーサミン、ベニバナ赤などを、それぞれ適宜配合することが出来る。
【００１４】
このような成分を含んだマスク本体(11)を挟む第１及び第２のプラスチックフィルム(12)、(13)は、マスク本外(11)の品質保持の役割とともに、第１のプラスチックフィルム(12)は型くずれ防止、第２のプラスチックフィルム(13)は貼り付け作業性向上の役割をもつ。このために、第１のプラスチックフィルム(12)は搬送時などの取扱に耐え得るよう、より硬質の素材とされ、第２のプラスチックフィルム(13)は貼り付け時に顔の形に沿って変形するよう、より軟質の素材とされている。
【００１５】
以上のフェイスマスク(１)を使用した美容方法について、具体例を示し、順を追って説明する。以下に示すような美容方法は、オクルーシブ効果により有効成分を素早く浸透させ、バリア機能を整えるとともに、肌の新陳代謝を助け、手入れ促進の効果をもたらすものである。まず、フェイスマスク１を使用する前に、メーク落としの過程と、角質ケアの過程と、アクセレートケアの過程が実施される。メーク落とし過程（図３〜図６）は、丁寧なメーク落としを行うことで肌の汚れをしっかりと落とすことが重要である。最初に、メーク落とし用の化粧水をコットンに含ませ、アイメーキャップ及び口紅を落とす。そして、メーク落とし用のクリームを手のひらにとり、図３に示すようにして、頬▲１▼▲３▼、顎▲２▼、額▲４▼の番号順にできるだけ広く、円を描きながらのばしていく。次いで図４に示すように、額▲１▼、頬▲２▼、鼻▲３▼、顎▲４▼の番号順にらせんを描きながらファンデーションや汚れとなじませる。これによりクリームがファンデーション色に変わるのを目安にし、図５のようにティッシュペーパーで汚れを吸い取るように押さえる。この後、改めて汚れを拭き取る。最後に図６に示すようにして、額▲１▼、鼻▲２▼、頬▲３▼▲４▼、顎▲５▼の順に所定の化粧水により、きめに残った汚れをしっかりと落とす。
【００１６】
メークを落とした後、角質ケアの過程を実施する。これにより、不要な角質を取り除くとともに肌を柔軟にし、有効成分の浸透経路をしっかりと開くことができる。すなわち、コットンに角質ケア用の化粧水を含ませ、顔と首を拭くようになじませる。これを化粧水を変えて複数回繰り返してもよい。
【００１７】
角質ケアが終わるとアクセレートケア（手入れ促進）の過程を行う。これは、血液循環を促し、肌の新陳代謝を高める過程である。まず、顔の必要箇所に専用のクリームを置き、図７に示すように、額は中央から外側へ向かうようにして螺旋状にこすり、鼻は鼻筋に沿って下へこすり下ろし、頬は口元からこめかみへ向けて螺旋状にこすっていく。続いて、手のひらに同じクリームを広げてなじませ、図８に示すように、首の中央から右、左とすり上げていく。この後、ティッシュペーパーで軽く押さえる。
【００１８】
アクセレートケアまで終わると、本発明に係るフェイスマスク(１)を使用した貼りケアの過程が実施される。貼りケア過程では、フェイスマスク(１)を使用する前に準備段階として、図９〜図１０の段階を実施する。まず図９の段階の前に、所定の化粧水をコットンに含ませ、肌がひんやりと冷たくなるまでパッティングを行う。次いで図９の段階で、所定の乳液を手のひらにとり、頬、顎、額に円をかくようにして広げる。そして図１０のように、顔の中心から外に向かって、額から顎へと順にのばしていく。
【００１９】
これらが終わったところで、フェイスマスク(１)の口周辺部用ピース(２)をとりだし、第１段階である貼り付け作業を実施する。まず図１１に示すように、硬いほうの第１のプラスチックフィルム(12)のみを剥がし、リフトバンド(23)を両手でつまむ。そして図１２のように、鼻の下部分をあわせてから頬の部分を貼り、リフトバンド(23)をこめかみの位置に貼り付ける。この後、図１３のようにしてフェイスマスク(１)を肌に密着させながら、残っている第２のプラスチックフィルム(13)を剥がしていく。
【００２０】
これにより口周辺部用ピース(２)のマスク本体(11)が顔に貼り付いたところで、続けて第２段階のリフトアップ作業、つまり顔の筋肉走行方向に沿った引き伸ばし作業を実施する。まず、図１４に示すように、鼻の下をフィットさせて小鼻の脇から口角の脇を指の腹などで押さえる。これは、顔の大頬骨筋・小頬骨筋・頬筋の基端部分を抑えていることになる。そして、図１４〜図１５に示すように、小鼻の脇から口角の脇を押さえたまま、リフトバンド(23)の部分を一旦顔から剥がしてつまみ、フェースラインにあわせて密着させたまま頬を持ち上げるようにして、リフトバンド(23)をこめかみの上まで引き上げ、貼り付ける。さらに図１６のように、小鼻の脇から口角の脇を押さえた状態を維持したままで、他方の手により、マスク本体(11)と肌との間に入った空気を絞り出すようにマスク本体(11)の上からなぞり、頬からこめかみに向かって（つまり大頬骨筋・小頬骨筋・頬筋の走行方向へ）マスク本体(11)及び肌を引き伸ばしていく。この作業を反対側の頬についても実施する。
【００２１】
続いて、図１７に示すように、今度は唇の下を指で押さえ、そのまま他方の手で同様に空気を絞り出すように顎の先へ向けてマスク本体(11)の上からなぞっていく。すなわち、唇の下＝下唇下制筋・口角下制筋の基端部分を一方の手で押さえるとともに、他方の手で下唇下制筋・口角下制筋の走行方向に沿ってマスク本体１１及び肌を引き伸ばしていく。これらの引き伸ばし方向について図１８に矢示した。
【００２２】
以上により口周辺部用ピース(２)の作業が終わると、次には目周辺部用ピース(３)をとりだし、同様の第１段階貼り付け作業を実施する。まず、図１９に示すように、目周辺部用ピース(３)の第１のプラスチックフィルム(12)を剥がし、該ピース(３)の切り込み(33)部分を両手で持つ。そして図２０に示すように、目の下部分をあわせてから、こめかみ、額へと貼り付ける。次いで図２１〜図２２のように、マスク本体(11)を肌に密着させながら、第２のプラスチックフィルム(13)を剥がしていく。このとき特に、目の間及び鼻の部分を入念に密着させるようにする。
【００２３】
このようにして第１段階の貼り付け作業を終了すると、第２段階のリフトアップ作業を実施する。目周辺部用ピース(３)のリフトアップ作業は、まず、図２３に示すように、目の下の部分を指の腹で押さえる。これは、眼輪筋の基端部分に相当する。この眼輪筋の基端部分を押さえたまま、他方の手で、目尻へ向けて、つまり眼輪筋の走行方向へ空気を絞り出すようにマスク本体(11)の上からしごき、マスク本体(11)及びその下の肌を引き伸ばしてく。これを反対側の目に対しても実施する。
【００２４】
目の下のリフトアップの次は、額のリフトアップに移る。図２４に示すように、眉の上、つまり前頭筋の基端部分を指の腹で押さえ、そのまま他方の手で、髪の生え際に向かって空気を絞り出すようにマスク本体(11)の上からしごき、マスク本体(11)及び肌を引き伸ばしていく。これらの引き伸ばし方向について図２５に矢示した。
【００２５】
以上で、上下のピース(２)、(３)の両方を張り終えた後、１０分ほどそのままの状態を保ち、有効成分を浸透させていく。本例の手法によれば、リフトアップ作業を行うことによりオクルーシブ効果が非常に高まっているので、細胞の一つ一つに素早く有効成分が行き届き、従来よりも短時間で十分な効果がある。このような美容方法を実施した結果の実感として、「肌との一体感があり、マスク中はリフトアップ感がある」、「使用後の肌はひんやりし、みずみずしいうるおいを感じる」、「肌に透明感が出て、明るい肌になる」、「肌の中にプルンとした弾力を感じる」、「全過程で２０分ほどという短い時間でありながら、普段のお手入れでは得られない満足感を味わえる」という感想が得られている。
【００２６】
【発明の効果】
本発明の２段階でフェイスマスクを密着させる美容方法によれば、第１段階で顔に貼り付けたフェイスマスクの上から、顔の筋肉走行方向に沿ってフェイスマスク及び肌をしごきつつ引き伸ばす第２段階を実施することにより、肌の細かなしわの中までフェイスマスクを密着させられ、オクルーシブ効果を格段に高めることができる。さらに、筋肉走行方向に沿ってフェイスマスクと肌を引き伸ばして密着させるので、マスクを付けている間、肌の張った状態をフェイスマスクがキープすることになり、肌のはりや弾力をよくする効果も得られ、衰えがちな筋肉を維持することにもつながる。
【図面の簡単な説明】
【図１】本発明に係るフェイスマスクの外観図。
【図２】本発明に係るフェイスマスクの断面図。
【図３】本発明の美容方法の一例におけるメーク落とし過程の説明図。
【図４】図３に続く説明図。
【図５】図４に続く説明図。
【図６】図５に続く説明図。
【図７】本発明の美容方法の一例におけるアクセレートケア過程の説明図。
【図８】図７に続く説明図。
【図９】本発明の美容方法の一例における貼りケア過程の説明図。
【図１０】図９に続く説明図。
【図１１】図１０に続く説明図。
【図１２】図１１に続く説明図。
【図１３】図１２に続く説明図。
【図１４】図１３に続く説明図。
【図１５】図１４に続く説明図。
【図１６】図１５に続く説明図。
【図１７】図１６に続く説明図。
【図１８】フェイスマスク及び肌の引き伸ばし方向を示した説明図。
【図１９】図１７に続く説明図。
【図２０】図１９に続く説明図。
【図２１】図２０に続く説明図。
【図２２】図２１に続く説明図。
【図２３】図２２に続く説明図。
【図２４】図２３に続く説明図。
【図２５】フェイスマスク及び肌の引き伸ばし方向を示した説明図。
【符号の説明】
(１)  フェイスマスク
(11)  マスク本体
(12)  第１のプラスチックフィルム
(13)  第２のプラスチックフィルム
(２)  口周辺部用ピース
(３)  目周辺部用ピース
【図１】
0004515663.tif 000002
【図２】
0004515663.tif 000003
【図３】
0004515663.tif 000004
【図４】
0004515663.tif 000005
【図５】
0004515663.tif 000006
【図６】
0004515663.tif 000007
【図７】
0004515663.tif 000008
【図８】
0004515663.tif 000009
【図９】
0004515663.tif 000010
【図１０】
0004515663.tif 000011
【図１１】
0004515663.tif 000012
【図１２】
0004515663.tif 000013
【図１３】
0004515663.tif 000014
【図１４】
0004515663.tif 000015
【図１５】
0004515663.tif 000016
【図１６】
0004515663.tif 000017
【図１７】
0004515663.tif 000018
【図１８】
0004515663.tif 000019
【図１９】
0004515663.tif 000020
【図２０】
0004515663.tif 000021
【図２１】
0004515663.tif 000022
【図２２】
0004515663.tif 000023
【図２３】
0004515663.tif 000024
【図２４】
0004515663.tif 000025
【図２５】
0004515663.tif 000026